(57)【要約】【課題】無線通信にて送受信されたメッセージデータを他のモード、及び外部機器で確認することが可能なデータ通信装置、及び、メッセージデータ変換方法を提供する。【解決手段】携帯電話１ａ、１ｂのＲＯＭ２４は、チャットを行うためのプログラム、このチャットにより生成されたメッセージデータ（チャット履歴データ）をＪＰＥＧ（Ｊｏｉｎｔ  Ｐｈｏｔｏｇｒａｐｈｉｃ  Ｅｘｐｅｒｔ  Ｇｒｏｕｐ）データ、ＰＮＧ（Ｐｏｒｔａｂｌｅ  Ｎｅｔｗｏｒｋ  Ｇｒａｐｈｉｃｓ  ｆｏｒｍａｔ）データ、テキストデータ等に変換するためのプログラム等を格納する。さらに、ＲＯＭ２４は、ＪＰＥＧ、ＰＮＧデータに基づく画像、あるいはテキストデータに基づく文字を表示部１３に表示させるためのアプリケーションを格納している。【選択図】        図３
2004320385.tif 000002
【特許請求の範囲】
【請求項１】
無線通信されたメッセージデータを記憶するメッセージデータ記憶手段と、
このメッセージデータ記憶手段に記憶されたメッセージデータを、他の機能にて閲覧可能なデータ形式に変換する変換手段と、
この変換手段によって変換されたメッセージデータを外部の機器に送信する送信手段と
を備えたことを特徴とするデータ通信装置。
【請求項２】
前記メッセージデータ記憶手段に記憶されるメッセージデータより、変換すべき範囲を指定する指定手段を更に備え、
前記変換手段は、この指定手段によって指定された範囲を前記他の機能にて閲覧可能なデータ形式に変換することを特徴とする請求項１記載のデータ通信装置。
【請求項３】
前記メッセージデータは、チャットサービスにおけるチャット履歴であることを特徴とする請求項１または２に記載のデータ通信装置。
【請求項４】
前記他の機能にて閲覧可能なデータ形式とは、画像データ形式であることを特徴とする請求項１乃至３の何れかに記載のデータ通信装置。
【請求項５】
前記他の機能にて閲覧可能なデータ形式とは、テキストデータ形式であることを特徴とする請求項１乃至３の何れかに記載のデータ通信装置。
【請求項６】
メッセージデータを無線信号にて送受信する送受信ステップと、
この送受信ステップにて送受信されたメッセージデータをメモリに記憶させる記憶ステップと、
この記憶ステップにて記憶されたメッセージデータを、他の機能にて閲覧可能なデータ形式に変換する変換ステップと、
この変換ステップにて変換されたメッセージデータを外部の機器に送信する送信ステップと
からなることを特徴とするメッセージデータ変換方法。
【発明の詳細な説明】
【０００１】
【発明の属する技術分野】
本発明は、データ通信装置に係り、特にチャットサービス等のメッセージデータ交換サービスにおいて交換されたメッセージデータの保存、及び送信機能に関する。
【０００２】
【従来の技術】
従来より、携帯電話同士によるデータ交換システムの一つとして、簡単なメッセージをリアルタイムで交換するチャットサービスが存在する。
【０００３】
このチャットサービスは、従来ある簡易メッセージ通信システムを利用するもので、予め携帯電話のユーザが、メッセージ交換を希望する相手が所有する携帯電話の電話番号と簡単なメッセージとを先ず発信することにより、交換相手とのデータ通信の確立を外部のネットワークサーバが行い、メッセージデータの交換を連続して行うものである（例えば、特許文献１）。
【０００４】
【特許文献１】
特開２００２−１３２６９４号公報  （第４頁、図５）
【０００５】
【発明が解決しようとする課題】
しかしながら、このようなチャットサービスにおいて交換されたメッセージデータ（チャット履歴）は、チャットサービスを終了させても、携帯電話内のメモリの所定エリアに記憶されるが、ユーザが過去に利用したチャット履歴を確認する際は、再び簡易メッセージ通信モードを開いてからでしか確認できなかった。
【０００６】
したがって、過去に行ったメッセージデータの交換内容を参照して、電子メールやその他各種のデータを作成・編集することはできなかった。
【０００７】
また、このようなチャット履歴は、電子メールシステムにおける個々のメッセージデータとは異なり、例えば携帯電話とパーソナルコンピュータとをケーブルで接続してバックアップデータをパーソナルコンピュータに保存したり、パーソナルコンピュータ上でバックアップしたメッセージ内容を閲覧することはできないので、ユーザは、チャットサービスを利用して過去にどのようなメッセージデータを交換したかを、パーソナルコンピュータ等外部の機器で確認することは不可能だった。
【０００８】
本発明は、上述の如き従来の課題を解決するためになされたもので、無線通信にて送受信されたメッセージデータを他のモード、及び外部機器で確認することが可能なデータ通信装置、及び、メッセージデータ変換方法を提供することである。
【０００９】
【課題を解決するための手段】
上記目的達成のため、請求項１記載の発明によるデータ通信装置は、無線通信されたメッセージデータを記憶するメッセージデータ記憶手段と、このメッセージデータ記憶手段に記憶されたメッセージデータを、他の機能にて閲覧可能なデータ形式に変換する変換手段と、この変換手段によって変換されたメッセージデータを外部の機器に送信する送信手段とを備えたことを特徴とする。
【００１０】
また、好ましい態様として、例えば請求項２記載のように、請求項１記載のデータ通信装置において、前記メッセージデータ記憶手段に記憶されるメッセージデータより、変換すべき範囲を指定する指定手段を更に備え、前記変換手段は、この指定手段によって指定された範囲を前記他の機能にて閲覧可能なデータ形式に変換するようにしてもよい。
【００１１】
また、好ましい態様として、例えば請求項３記載のように、請求項１または２記載のデータ通信装置において、前記メッセージデータは、チャットサービスにおけるチャット履歴としてもよい。
【００１２】
また、好ましい態様として、例えば請求項４記載のように、請求項１乃至３の何れかに記載のデータ通信装置において、前記他の機能にて閲覧可能なデータ形式とは、画像データ形式としてもよい。
【００１３】
また、好ましい態様として、例えば請求項５記載のように、請求項１乃至３の何れかに記載のデータ通信装置において、前記他の機能にて閲覧可能なデータ形式とは、テキストデータ形式としてもよい。
【００１４】
また、上記目的達成のため、請求項６記載の発明によるメッセージデータ変換方法は、メッセージデータを無線信号にて送受信する送受信ステップと、この送受信ステップにて送受信されたメッセージデータをメモリに記憶させる記憶ステップと、この記憶ステップにて記憶されたメッセージデータを、他の機能にて閲覧可能なデータ形式に変換する変換ステップと、この変換ステップにて変換されたメッセージデータを外部の機器に送信する送信ステップとからなることを特徴とする。
【００１５】
【発明の実施の形態】
【００１６】
以下、本発明を携帯電話によるメッセージ送受信システムに適用した実施の形態を図に従って説明する。図１は、本実施の形態に係るメッセージ送受信システムの構成を示すブロック図である。図において、携帯電話１ａ，１ｂは、通話機能とメッセージ送受信機能とを備える。無線基地局２、２は、公衆回線網４を介して携帯電話１ａ，１ｂが加入する通信サービス事業者（インターネットプロバイダを含む）３に接続する。
【００１７】
通信サービス事業者（インターネットプロバイダを含む）３は、主なサービスとして提供している携帯電話サービスに必要とする交換機３４の他、後述のＷＷＷ５に接続するためのシステム（コンピュータ３１、Ｗｅｂサーバ３２、ルータ３５）、メッセージ（チャット）システム（メッセージ（チャット）サーバ３３）を備えている。また、無線基地局２をＡＰ（アクセス・ポイント）として、携帯電話１ａ，１ｂをＷＷＷ５に接続させるための機能も備えている。
【００１８】
公衆回線網４は、アナログ、デジタル電話回線網であり、ＷＷＷ５は所謂インターネットである。
【００１９】
インターネットサービスプロバイダ（以下、ＩＳＰと称す）６は、交換機を除いて、通信サービス事業者３と同じ構成であり、ＷＷＷ５に接続するためのシステム（便宜的にコンピュータ６１、Ｗｅｂサーバ６２、ルータ６５）、メッセージシステム（メッセージサーバ６３）を備えている。パーソナルコンピュータ７は、公衆回線網４、ＩＳＰ６を介して、ＷＷＷ５に接続したり、メッセージの送受信を行う機能を備えている。
【００２０】
図２（ａ）（ｂ）は、携帯電話１ａ、１ｂの外観図（開状態：正面図及び背面図）である。本実施の形態における携帯電話１ａ、１ｂは、蓋部と本体部とからなる二つ折りの構造である。アンテナ１１は、蓋部の背面に設けられており、伸縮自在となっている。スピーカ１２は、蓋部の前面側に設けられており、音声出力を行う。表示部（メイン表示部）１３は、カラー液晶であり、１２０ドット（幅）×１６０ドット（高さ）である。
【００２１】
キー操作部１４は、本体部の前面に設けられており、各種機能キー（メッセージキー１４１、アドレスキー１４２、ファンクションキー１４３）、テンキー１４４、アクセプトキー１４５、カーソルキー１４６などからなる。メッセージキー１４１は、メッセージ（チャット）機能を起動するためのものである。アドレスキー１４２は、送信先のアドレスを選択する際に用いるアドレス帳を開くためのものである。テンキー１４４は、電話番号や文字の入力、及び絵文字の入力の際に使用するものである。カーソルキー１４６は、アクセプトキー１４５の周部に配置された円環状のキーであり、上下左右には操作方向を示す表示（△）が付され、各表示部分が押下されると対応する方向を示す信号を出力する。マイク１５は、本体部の下部に設けられており、音声入力を行う。
【００２２】
サブ表示部１６は、蓋部の背面に設けられている。背面キー１７は、透明、又は半透明部材で構成され、着信の際、発光するするＬＥＤ１７１を内蔵している。報知スピーカ１９は、着信などを報知するものであり、蓋部本体部に閉じた状態でも報知音が聞こえるように、本体部の裏面に配置されている。
【００２３】
図３は、携帯電話１ａ、１ｂの構成を示すブロック図である。無線送受信部２０は、無線によりアンテナ１１を介して音声やデータ（メッセージデータ）を送受信し変調／復調する。無線信号処理部２１は、無線送受信部２０で受信した音声やデータを復調し、あるいは無線送受信部２０へ送信するための音声やデータを変調するなどの無線通信に必要な処理をする。制御部２２は、各種動作及び全体の動作を制御する。
【００２４】
ＲＯＭ２４は、書換可能なＦｌａｓｈ  ＲＯＭで構成され、本発明の特徴となる、後述のフローチャートにより示すプログラム等の各種プログラム、チャットを行うためのプログラム、このチャットにより生成されたメッセージデータ（チャット履歴データ）をＪＰＥＧ（Ｊｏｉｎｔ  Ｐｈｏｔｏｇｒａｐｈｉｃ  Ｅｘｐｅｒｔ  Ｇｒｏｕｐ）データ、ＰＮＧ（Ｐｏｒｔａｂｌｅ  Ｎｅｔｗｏｒｋ  Ｇｒａｐｈｉｃｓ  ｆｏｒｍａｔ）データ、テキストデータ等に変換するためのプログラム等を格納する。さらに、ＲＯＭ２４は、ＪＰＥＧ、ＰＮＧデータに基づく画像、あるいはテキストデータに基づく文字を表示部１３に表示させるためのアプリケーションを格納している。
【００２５】
ドライバ２５は、表示部１３を駆動する。ドライバ２６は、サブ表示部１６を駆動する。加入者情報記憶部２７は、本携帯電話１を呼び出すための電話番号や、操作者（加入者）のＩＤ等、プロフィールデータを格納する。ＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メッセージデータも格納記憶する。
【００２６】
音声処理部２００は、マイク１５から入力された音声信号を符号化処理したり、無線信号処理部２１から出力された信号に基づいて復号化してスピーカ１２を駆動させ、音声を出力する。報知デバイス１９２は、報知スピーカ１９、バイブレータ１９１、ＬＥＤ１７１を駆動させるためのドライバである。
【００２７】
図４は、ＲＡＭ２９のメモリエリアの構成を示す概念図である。ＲＡＭ２９は、メッセージデータ格納領域２９１、変換済メッセージデータ格納領域２９２及びその他・ワークメモリ２９３等を備えている。メッセージデータ格納領域２９１は、チャットサービスにより送受信したメッセージデータ（チャット履歴）を格納する。変換済メッセージデータ格納領域２９２は、メッセージデータ格納領域２９２に格納されたメッセージデータを、ＪＰＥＧ、ＰＮＧ形式等の画像データあるいはテキストデータに変換した後のデータである変換済メッセージデータを格納する。
【００２８】
なお、パーソナルコンピュータ７は、ＪＰＥＧ、ＰＮＧデータに基づく画像、あるいはテキストデータに基づく文字を表示部１３に表示させるためのアプリケーションをハードディスクに格納している。
【００２９】
次に、以上の構成に係る本実施形態の動作について説明する。以下の説明においては、携帯電話１ａ，１ｂとの間でのチャットサービスによりメッセージ交換を行い、これにより携帯電話１ａが有するＲＡＭ２９のメッセージデータ格納領域２９１に携帯電話１ａ，１ｂ間で交換されたメッセージデータ（チャット履歴データ）が格納されており、この交換メッセージをパーソナルコンピュータ７において閲覧可能なデータに変換して、携帯電話１ａからパーソナルコンピュータ７に送る場合を前提とする。
【００３０】
すなわち、携帯電話１ａが有する有するＲＡＭ２９のメッセージデータ格納領域２９１には、携帯電話１ａ，１ｂ間でのチャットサービスによる交換メッセージ（チャット履歴データ）が格納されている。そして、携帯電話１ａのユーザがチャット終了後にファンクションキー１４３の操作により、チャット履歴データ送信モードを設定すると、制御部２２は、ＲＯＭ２４に格納されているプログラムに基づき、図５に示すフローチャートに従って処理を実行する。
【００３１】
先ず、変換データ形式選択処理を実行する（ステップＳ１）。このステップＳ１は、交換メッセージ（チャット履歴データ）を如何なるデータに変換するかをユーザが予め選択するための処理であり、表示部１３に「ＪＰＥＧ」「ＰＮＧ」「テキスト」等の変換データ形式メニュー表示を行う。そして、この変換データ形式メニューからいずれかの変換データ形式が選択されると、当該選択された変換データ形式を選択して決定する。
【００３２】
次に、既に終了した携帯電話１ｂとのチャットにより、メッセージデータ格納領域２９１に格納されているメッセージデータを読み出して、カーソルとともに表示部１３に表示させる（ステップＳ２）。このステップＳ２での処理により、図６（Ａ）に示すように、携帯電話１ａの表示部１３には、チャットにより携帯電話１ａ、１ｂ間で交換されたメッセージデータＭが表示されるとともに、カーソルＣが表示される。
【００３３】
引き続き、アクセプトキー１４５が押下されたか否かを判断する（ステップＳ３）。アクセプトキー１４５が押下されたならば、そのときカーソルがある位置を範囲指定の開始位置と決定し（ステップＳ４）、この決定した開始位置のライン色を変更表示する（ステップＳ５）。このステップＳ５での処理により、図６（Ｂ）に例示するように、指定開始位置に他の部分とは異なる色からなるラインＬが表示され、このラインＬを見ることにより、携帯電話１ａのユーザは、指定範囲の開始位置を確認することができる。
【００３４】
次に、カーソルキー１４６が押下されたか否かを判断する（ステップＳ６）。カーソルキー１４６が押下された場合には、押下されたカーソルキー１４６の方向に応じて指定範囲を変更し（ステップＳ７）、この変更した指定範囲の色を変更表示する（ステップＳ８）。したがって、カーソルキー１４６の下方向が押下されたとすると、図６（Ｃ）に示すように、指定範囲Ｒは下方向に拡大されて（ラインＬと同じ色に）色変更表示される。
【００３５】
さらに、アクセプトキー１４５が押下されたか否かを判断し（ステップＳ９）、アクセプトキー１４５が押下されるまで、ステップＳ６〜Ｓ９のループを繰り返す。したがって、ユーザーがアクセプトキー１４５を操作することなく、カーソルキー１４６の下方向を押し続けていると、ステップＳ６〜Ｓ９の処理が繰り返し実行される。よって、ステップＳ７及びステップＳ８での処理により、図６（Ｄ）（Ｅ）（Ｆ）に示すように、指定範囲Ｒは順次下方向に拡大させて色変更表示される。
【００３６】
そして、図６（Ｆ）に示したように指定範囲Ｒが設定された時点で、アクセプトキー１４５を押下すると、ステップＳ９からステップＳ１０に進み、以上の処理で設定された指定範囲Ｒを今回の指定範囲として決定する。次に、この決定した指定範囲Ｒ内のメッセージデータを、前述のステップＳ１で予め決定されたデータに変換する（ステップＳ１１）。すなわち、前述のステップＳ１での処理により、ＪＰＥＧが選択されていた場合には指定範囲Ｒ内のメッセージデータをＪＰＥＧデータに変換し、ＰＮＧが選択されていた場合にはＰＮＧデータに変換し、テキストデータが選択されていた場合にはテキストデータに変換する。
【００３７】
しかる後に、この変換した後のメッセージデータ（画像データあるいはテキストデータ）を変換済メッセージデータ格納領域２９２に格納して保存するとともに（ステップＳ１２）、添付ファイルとして電子メールでパーソナルコンピュータ７に送信する（ステップＳ１３）。これにより、変換済メッセージデータが通信サービス事業者（インターネットプロバイダを含む）３に送信され、パーソナルコンピュータ７は公衆回線網４を介して通信サービス事業者３に接続することにより、変換済メッセージデータを受信することができる。  このパーソナルコンピュータ７に送信された変換済メッセージデータのデータ形式は、ＪＰＥＧ、ＰＮＧ、テキスト等であることから、パーソナルコンピュータ７を使用するユーザは、支障なく変換済メッセージデータを表示させて閲覧したり、あるいは加工して利用することができる。また、携帯電話１ａの変換済メッセージデータ格納領域２９２に格納に格納された変換済メッセージデータのデータ形式も同様に、ＪＰＥＧ、ＰＮＧ、テキスト等であることから、携帯電話１ａにおいて、他のモードにおいても支障なく変換済メッセージデータを表示させて参照したり、あるいは加工して利用することができる。
【００３８】
なお、本実施の形態においては、指定範囲Ｒ内のメッセージデータをＪＰＥＧデータ、ＰＮＧデータ等の画像データあるいは、テキストデータから文字データに変換するようにしたが、変換するデータ形式はこれらに限ることなく、要は送信先の機器で使用されるアプリケーションで利用可能なデータ形式であれば、如何なるデータ形式であってもよい。
【００３９】
【発明の効果】
【００４０】
請求項１記載の発明によれば、メッセージデータ記憶手段に記憶された無線通信されたメッセージデータを、変換手段により、メッセージデータを、他の機能にて閲覧可能なデータ形式に変換し、送信手段によって、この変換されたメッセージデータを外部の機器に送信するので、無線通信にて送受信されたメッセージデータを他のモード、及び外部機器で確認することができるという利点が得られる。
【００４１】
また、請求項２記載の発明によれば、指定手段により、前記メッセージデータ記憶手段に記憶されるメッセージデータより、変換すべき範囲を指定するので、メッセージデータの中で必要とする範囲のみ他の機能にて閲覧可能なデータ形式に変換することができるという利点が得られる。
【００４２】
また、請求項３記載の発明によれば、メッセージデータはチャットサービスにおけるチャット履歴であるので、過去のチャット履歴を他のモード、及び外部機器で確認することができるという利点が得られる。
【００４３】
また、請求項４記載の発明によれば、前記他の機能にて閲覧可能なデータ形式とは画像データ形式であるので、電子メールシステムの添付ファイルとして容易に扱うことができるという利点が得られる。
【００４４】
また、請求項５記載の発明によれば、前記他の機能にて閲覧可能なデータ形式とはテキストデータ形式であるので、電子メールシステムの添付ファイルとして容易に扱うことができるという利点が得られる。
【００４５】
また、請求項６記載の発明によれば、記憶ステップにより、送受信ステップにて無線信号にて送受信されたメッセージデータをメモリに記憶させ、  変換ステップにより、記憶されたメッセージデータを、他の機能にて閲覧可能なデータ形式に変換し、送信ステップにより、変換されたメッセージデータを外部の機器に送信するので、、無線通信にて送受信されたメッセージデータを他のモード、及び外部機器で確認することができるという利点が得られる。
【図面の簡単な説明】
【図１】本実施の形態に係るメッセージ送受信システムの構成を示すブロック図である。
【図２】本実施の形態における携帯電話の外観図であり、（ａ）は開状態正面図、（ｂ）は開状態背面図を示す。
【図３】本実施の形態における携帯電話の構成を示すブロック図である。
【図４】ＲＡＭのメモリエリアの構成を示す概念図である。
【図５】メッセージデータの変換処理を示すフローチャートである。
【図６】図５のフローチャートにおいて処理を実行した際の表示例とキー操作の態様を示す図である。
【符号の説明】
１  携帯電話  （データ通信装置）
１１  アンテナ  （送信手段）
１４  キー入力部  （指定手段）
２０  無線送受信部  （送信手段）
２１  無線信号処理部  （送信手段）
２２  制御部  （変換手段）
２９  ＲＡＭ  （メッセージデータ記憶手段）
【図１】
2004320385.tif 000003
【図２】
2004320385.tif 000004
【図３】
2004320385.tif 000005
【図４】
2004320385.tif 000006
【図５】
2004320385.tif 000007
【図６】
2004320385.tif 000008